(57)【特許請求の範囲】
【請求項１】
筐体を折り畳み可能にして相手先との通話及び電子メールの送受信を行う折り畳み式携帯電話機において、
前記筐体を開いた際に露出して画像を表示する第１表示パネルと、
前記筐体を閉じた際に外面側から画像を視認できる第２表示パネルと、
を備え、受信した電子メールの内容を第２表示パネルに表示でき、
第２表示パネルに電子メールの内容を表示した状態から前記筐体を開いたときに、第１表示パネルの表示状態を、電子メールの送信元に対する返信メールの入力と、電子メールの送信元に対する電話番号の発信との選択状態にしたことを特徴とする折り畳み式携帯電話機。
【請求項２】
前記筐体を閉じた状態で操作可能な外面側操作キーを設け、前記外面側操作キーの操作により電子メールの内容を第２表示パネルに表示することを特徴とする請求項１に記載の折り畳み式携帯電話機。
【請求項３】
前記外面側操作キーの操作により電子メールの内容をページ送りすることを特徴とする請求項２に記載の折り畳み式携帯電話機。
【請求項４】
第２表示パネルに電子メールの内容を表示した状態から前記筐体を開いたときに、第２表示パネルを非表示にすることを特徴とする請求項１〜請求項３のいずれかに記載の折り畳み式携帯電話機。
【発明の詳細な説明】
【０００１】
【発明の属する技術分野】
本発明は、表示部と本体部とを回動可能に連結した折り畳み式携帯電話機に関し、特に、折り畳んだ状態で視認可能な表示パネルを有する折り畳み式携帯電話機に関する。
【０００２】
【従来の技術】
従来の折り畳み式の携帯電話機は、画像を表示する表示パネルを有した表示部と、駆動回路を内装した本体部とがヒンジ部で折り畳み可能に連結されている。表示部には開いた時に露出する第１表示パネルと、外面側に設けられて閉じた状態で視認可能な第２表示パネルとが設けられる。
【０００３】
第１表示パネルは本体部に設けられた操作キーによる入力操作のメニュー、電子メールの内容、写真等の画像の表示等を行うことができる。第２表示パネルは電話及び電子メールの着信の旨や送信元等を表示し、携帯電話機を閉じた状態でこれらの情報を使用者に知らせることができるようになっている。
【０００４】
【発明が解決しようとする課題】
しかしながら、上記の従来の折り畳み式携帯電話機によると、受信した電子メールの内容を確認するには第１表示パネルに表示させるために本体部と表示部とを開く煩雑な操作を必要とする。特に、迷惑メール等の不要な電子メールの場合には返信等を行うこともないため、本体部と表示部とを開く操作が無駄な操作になる。このため、使用者の使用勝手が悪い問題があった。
【０００５】
本発明は、使用者の使用勝手を向上することのできる電子メールを受信可能な折り畳み式携帯電話機を提供することを目的とする。
【０００６】
【課題を解決するための手段】
上記目的を達成するために本発明は、筐体を折り畳み可能にして相手先との通話及び電子メールの送受信を行う折り畳み式携帯電話機において、前記筐体を開いた際に露出して画像を表示する第１表示パネルと、前記筐体を閉じた際に外面側から画像を視認できる第２表示パネルと、を備え、受信した電子メールの内容を第２表示パネルに表示でき、第２表示パネルに電子メールの内容を表示した状態から前記筐体を開いたときに、第１表示パネルの表示状態を、電子メールの送信元に対する返信メールの入力と、電子メールの送信元に対する電話番号の発信との選択状態にしたことを特徴としている。
【０００７】
この構成によると、筐体を開くと、例えば第１表示パネルに表示した相手先に電話をかけたり電子メールを送信したりすることができる。筐体を閉じた際に電子メールを着信すると、第２表示パネルに電子メールの内容が表示される。
【０００８】
また本発明は、上記構成の折り畳み式携帯電話機において、前記筐体を閉じた状態で操作可能な外面側操作キーを設け、前記外面側操作キーの操作により電子メールの内容を第２表示パネルに表示することを特徴としている。この構成によると、筐体を閉じた際に電子メールを着信すると例えば第２表示パネルに送信元情報等が表示され、外面側操作キーを操作すると電子メールの内容が表示される。
【０００９】
また本発明は、上記構成の折り畳み式携帯電話機において、前記外面側操作キーの操作により電子メールの内容をページ送りすることを特徴としている。
【００１０】
また本発明は、上記構成の折り畳み式携帯電話機において、第２表示パネルに電子メールの内容を表示した状態から前記筐体を開いたときに、第２表示パネルを非表示にすることを特徴としている。
【００１４】
【発明の実施の形態】
以下に本発明の実施形態を図面を参照して説明する。図１（ａ）、（ｂ）は第１実施形態の折り畳み式携帯電話機の開いた状態を示す正面図及び側面図である。折り畳み式の携帯電話機１は、表示部２（第１筐体）と本体部３（第２筐体）とがヒンジ部４により回動可能に連結されている。
【００１５】
表示部２には開いたときに露出して画像を視認できる第１表示パネル５が設けられる。第１表示パネル５は液晶表示素子から成り、マトリクス状に配列された各画素に電圧を印加することによって画像を形成する。第１表示パネル５の上方には音声を発するスピーカ７が配されている。
【００１６】
本体部３は制御部３１（図４参照）を内蔵し、表面に複数の操作キー１０が設けられている。操作キー１０は携帯電話機１の電源をＯＮ／ＯＦＦする電源キー１１、電話番号を発信する発信キー１２、電話番号の入力や電子メールの文章入力等を行う入力キー１３等から成っている。また、表示部２の側面に設けられるサイドキー１４（外面側操作キー）や、後述する表面キー１５（図２（ａ）参照）等も有している。操作キー１０の下方には、使用者の音声を捉えるマイク８が設けられている。
【００１７】
表示部２及び本体部３には、閉じたときに互いに対面する位置にそれぞれ開閉検知部９ａ、９ｂが設けられる。開閉検知部９ａ、９ｂの接触により携帯電話機１が閉じたことを検知し、開閉検知部９ａ、９ｂの離間により開いたことを検知できるようになっている。
【００１８】
図２（ａ）、（ｂ）は、携帯電話機１の閉じた状態を示す正面図及び側面図である。第１表示パネル５の背面側には閉じた状態で外面側から画像を視認できる第２表示パネル６が設けられている。第２表示パネル６は第１表示パネル５と同様に液晶表示素子から成り、マトリクス状に配列された各画素に電圧を印加することによって画像を形成する。また、携帯電話機１を閉じたときの表示部２の表面には複数の表面キー１５（外面側操作キー）が設けられる。
【００１９】
図３は第１、第２表示パネル５、６の構成を示す側面断面図である。互いに背面側を対向する第１、第２表示パネル５、６間にはバックライト２０が配されている。バックライト２０は拡散シート２５、２６を介して第１、第２表示パネル５、６に対向配置される導光板２３、２４を有している。導光板２３、２４はくさび形に形成され、互いに接する傾斜面に反射シート２７が挟持されている。また、導光板２３、２４のそれぞれの一方側面には光源２１、２２が配されている。
【００２０】
光源２１、２２の出射光は導光板２３、２４を導光し、反射シート２７で反射してそれぞれ第１、第２表示パネル５、６の方向に出射される。導光板２３、２４の出射光は拡散シート２５、２６で拡散され、第１、第２パネル５、６に均一な照明光を照射して画像を表示できるようになっている。
【００２１】
図４は携帯電話機１の構成を示すブロック図である。本体部２内には各部を制御する制御部３１が設けられる。制御部３１には無線部３２、記憶部３３、第１、第２表示パネル５、６、操作キー１０及び開閉検知部９ａ、９ｂが接続されている。
【００２２】
無線部３２はアンテナ３０を介して携帯電話機の基地局との通信を行う。記憶部３３はＲＯＭ及びＲＡＭから成り、制御プログラム、相手先情報、受信済の電子メールの内容等を記憶するとともに、各種演算の一時記憶等を行う。操作キー１０の入力信号、開閉検知部９ａ、９ｂの検知信号及び無線部３２の受信信号に応じて、制御部３１で演算が行われ、第１、第２表示パネル５、６に画像を表示するとともに無線部３２を介して通信が行われるようになっている。
【００２３】
上記構成の携帯電話機１において、電子メールの受信時の動作について図５のフローチャートを参照して説明する。電源キー１１の操作によって携帯電話機１の電源が入れられると、ステップ＃１１で電子メールの受信待機状態になる。電子メールを受信するとステップ＃１２に移行し、開閉検知部９ａ、９ｂの検知結果によって携帯電話機１が折り畳み状態か否かが判別される。
【００２４】
携帯電話機１が開いた状態の場合は、ステップ＃２１に移行して第１表示パネル５に電子メールを着信したことが表示される。送信元のメールアドレス等の情報を同時に表示してもよい。ステップ＃２２では操作キー１０によって電子メールの内容を表示する所定の操作が行われ、ステップ＃３０に移行して受信した電子メールの内容が第１表示パネル５に表示される。
【００２５】
ステップ＃１２の判断により携帯電話機１が折り畳み状態の場合は、ステップ＃１３で第２表示パネル６に電子メールを着信したことが表示される。送信元のメールアドレス等の情報を同時に表示してもよい。ステップ＃１４及びステップ＃１５では折り畳み状態が解除されたか或いはサイドキー１４が押されるまで待機する。
【００２６】
折り畳み状態が解除されると、ステップ＃２２に移行して上記と同様の動作が行われる。折り畳み状態のままでサイドキー１４が押されると、ステップ＃１６に移行して受信した電子メールの内容が第２表示パネル６に表示される。これにより、使用者は携帯電話機１を折り畳んだ状態で電子メールの内容を確認することができる。サイドキー１４と同様の機能を表面キー１５に設けてもよい。
【００２７】
ステップ＃１７では、続いてサイドキー１４が押されたか否かが判断される。サイドキー１４が押さていない場合はステップ＃１９に移行して携帯電話機１の折り畳み状態が解除されたか否かが判断される。携帯電話機１が折り畳み状態の時はステップ＃１７に戻ってサイドキー１４が押されるか携帯電話機１の折り畳み状態が解除されるまで待機する。
【００２８】
サイドキー１４が押されると第２表示パネル６に表示された電子メールの内容がページ送りされ、画面表示が切り替えられる。表面キー１５の一をページ送りキーとしてもよい。携帯電話機１が開かれるとステップ＃３０に移行し、第２表示パネル６を非表示にして第１表示パネル５に電子メールの内容が表示される。これにより、操作キー１０による表示画面の切り替え操作が不要になり操作性を向上させることができる。
【００２９】
ステップ＃３１では発信キー１２が押されるまで待機し、発信キー１２が押されるとステップ＃３２で電子メールの送信元に電話番号が発信される。これにより、電子メールの送信元との通話が可能となる（ステップ＃３３）。通話が終了するとステップ＃１１に戻って電子メールの受信を待機する。
【００３０】
本実施形態によると、電子メールを受信した際に携帯電話機１を閉じたまま内容を確認できるので携帯電話機１を開く煩雑な操作が不要になる。特に、迷惑メール等の不要な電子メールの判別を携帯電話機１を閉じたまま行えるので、無駄な操作を省くことができる。従って、使用者の使用勝手を向上させることができる。尚、迷惑メール等の不要な電子メールを内容確認後直ちに削除できるように、第２表示パネル６に表示中の電子メールを削除できる削除キーを表面キー１５の一に設けてもよい。
【００３１】
また、第２表示パネル６により電子メールの内容を確認した後、携帯電話機１を開くと発信キー１２を押すだけで送信元に電話をかけることができる。従って、送信元に電話をかける操作が簡単になり、携帯電話機１の操作性を向上させることができる。
【００３２】
次に、第２実施形態について説明する。本実施形態は前述の図１〜図４に示す第１実施形態の携帯電話機１と同じ構成になっており、電子メール着信時の制御プログラムが異なっている。図６は本実施形態の携帯電話機１の動作を示すフローチャートである。
【００３３】
ステップ＃１１〜＃２２は前述の図５に示す第１実施形態と同一であるので説明を省略する。ステップ＃１９で携帯電話機１の折り畳み状態が解除されたと判断すると、ステップ＃４０に移行する。ステップ＃４０では、第２表示パネル６が非表示になって第１表示パネル５が電子メールの送信元に対する返信メールの入力状態になる。
【００３４】
使用者により返信メールが入力されるとステップ＃４１で返信メールの送信を待機し、送信の操作が行われるとステップ＃４２で返信メールが送信される。返信メールの送信が終了するとステップ＃１１に戻って電子メールの受信を待機する。
【００３５】
尚、ステップ＃１２及びステップ＃１４で携帯電話機の折り畳み状態が解除されたことが検知されると、それぞれ前述のステップ＃２１、ステップ＃２２に移行し、ステップ＃２２で操作キー１０によって電子メールの内容を表示する所定の操作が行われる。
【００３６】
その後、ステップ＃２３に移行して受信した電子メールの内容が第１表示パネル５に表示される。ステップ＃２４では操作キー１０によって電子メールの返信を行うための所定の操作が行われ、ステップ＃４０に移行して第１表示パネル５が返信入力状態になる。
【００３７】
本実施形態によると、第１実施形態と同様の効果を得ることができるとともに、第２表示パネル６により電子メールの内容を確認した後、携帯電話機１を開くと特別な操作を行うことなく返信メールの入力状態にすることができる。従って、送信元に返信メールを送信する操作が簡単になり、携帯電話機１の操作性を向上させることができる。
【００３８】
次に、第３実施形態について説明する。本実施形態は前述の図１〜図４に示す第１実施形態の携帯電話機１と同じ構成になっており、電子メール着信時の制御プログラムが異なっている。図７は本実施形態の携帯電話機１の動作を示すフローチャートである。
【００３９】
ステップ＃１１〜＃２２は前述の図５に示す第１実施形態と同一であるので説明を省略する。ステップ＃１９で携帯電話機１の折り畳み状態が解除されたと判断すると、ステップ＃５０に移行する。ステップ＃５０では、第２表示パネル６が非表示になって第１表示パネル５が電子メールの送信元に対する電話番号の発信か返信メールの送信かを選択する選択状態になる。
【００４０】
ステップ＃５１では使用者が電話番号の発信を選択したか否かが判断され、電話番号の発信を選択した場合はステップ＃５２で電子メールの送信元に電話番号が発信される。これにより、電子メールの送信元との通話が可能となる（ステップ＃５３）。通話が終了するとステップ＃１１に戻って電子メールの受信を待機する。
【００４１】
ステップ＃５１で返信メールの送信が選択されたと判断するとステップ＃５４で第１表示パネル５が返信メールの入力状態になる。使用者により返信メールが入力されるとステップ＃５５で返信メールが送信される。返信メールの送信が終了するとステップ＃１１に戻って電子メールの受信を待機する。
【００４２】
尚、ステップ＃１２及びステップ＃１４で携帯電話機の折り畳み状態が解除されたことが検知されると、それぞれ前述のステップ＃２１、ステップ＃２２に移行し、ステップ＃２２で操作キー１０によって電子メールの内容を表示する所定の操作が行われる。
【００４３】
その後、ステップ＃２３に移行して受信した電子メールの内容が第１表示パネル５に表示される。ステップ＃２５では操作キー１０によって電子メールの送信元に対する電話番号の発信か返信メールの送信かを選択するための所定の操作が行われ、ステップ＃５０に移行して第１表示パネル５が選択状態になる。
【００４４】
本実施形態によると、第１実施形態と同様の効果を得ることができるとともに、第２表示パネル６により電子メールの内容を確認した後、携帯電話機１を開くと第１表示パネル５が送信元への電話番号の発信か返信メールの送信かを選択する画面に移行する。このため、一つの選択操作でこれらの操作に移行することができる。従って、送信元に電話をかける操作または返信メールを送信する操作が簡単になり、携帯電話機１の操作性を向上させることができる。
【００４５】
第１〜第３実施形態において、表示部２に第１表示パネル５及び第２表示パネル６を設けているが、第２表示パネル６を本体部３側に設けてもよい。また、第１〜第３実施形態の図５〜図７に示すフローチャートから成る制御プログラムを使用者が選択できるようにしてもよい。
【００４６】
【発明の効果】
本発明によると、電子メールを受信した際に携帯電話機を閉じたまま第２表示パネルに表示された電子メールの内容を確認できるので携帯電話機を開く煩雑な操作が不要になる。特に、迷惑メール等の不要な電子メールの判別を携帯電話機を閉じたまま行えるので、無駄な操作を省くことができる。従って、使用者の使用勝手を向上させることができる。
また、第２表示パネルにより電子メールの内容を確認した後、携帯電話機を開くと第１表示パネルが送信元への電話の発信か返信メールの送信かを選択する画面に移行する。このため、一つの選択操作でこれらの操作に移行することができる。従って、送信元に電話をかける操作または返信メールを送信する操作が簡単になり、携帯電話機の操作性を向上させることができる。
【００４７】
また本発明によると、外面側操作キーによって所望の時期に第２表示パネルに電子メールの内容を表示することができる。
【００４８】
また本発明によると、外面側操作キーの操作により携帯電話機を折り畳んだまま電子メールの内容をページ送りすることができ、使用勝手をより向上させることができる。
【００４９】
また本発明によると、第２表示パネルに電子メールの内容を表示した状態から筐体を開いたときに、第２表示パネルを非表示にするので、操作性を向上させることができる。
【図面の簡単な説明】
【図１】  本発明の第１実施形態の携帯電話機の開いた状態を示す正面図及び側面図である。
【図２】  本発明の第１実施形態の携帯電話機の閉じた状態を示す正面図及び側面図である。
【図３】  本発明の第１実施形態の携帯電話機の表示部の構造を示す断面図である。
【図４】  本発明の第１実施形態の携帯電話機の構成を示すブロック図である。
【図５】  本発明の第１実施形態の携帯電話機の動作を示すフローチャートである。
【図６】  本発明の第２実施形態の携帯電話機の動作を示すフローチャートである。
【図７】  本発明の第３実施形態の携帯電話機の動作を示すフローチャートである。
【符号の説明】
１    携帯電話機
２    表示部
３    本体部
４    ヒンジ部
５    第１表示パネル
６    第２表示パネル
７    スピーカ
８    マイク
９ａ、９ｂ  開閉検知部
１０    操作キー
１１    電源キー
１２    発信キー
１３    入力キー
１４    サイドキー
１５    表面キー
２０    バックライト
２１、２２    光源
２３、２４    導光板
２５、２６    拡散シート
２７    反射シート
３０    アンテナ
３１    制御部
３２    無線部
３３    記憶部
【図１】
0003865650.tif 000002
【図２】
0003865650.tif 000003
【図３】
0003865650.tif 000004
【図４】
0003865650.tif 000005
【図５】
0003865650.tif 000006
【図６】
0003865650.tif 000007
【図７】
0003865650.tif 000008